(57)【要約】【課題】十分な記憶容量を備えた小型の情報記録媒体が添付され、当該情報記録媒体を、内容物を開封状態にすることなく取り出すことができるとともに容易に再生することのできる、包装容器を提供する。【解決手段】包装容器は、１つ以上の外フラップによって開封面壁が形成されているとともに前記開封面壁の内側に１つ以上の内フラップを備えたカートンを備えており、少なくとも１つの前記内フラップは、ＵＳＢメモリあるいはカード型メモリからなる情報記録媒体を保持している。【選択図】図１
2013056683.tif 000002
【特許請求の範囲】
【請求項１】
１つ以上の外フラップによって開封面壁が形成されているとともに前記開封面壁の内側に１つ以上の内フラップを備えたカートンを備えており、
少なくとも１つの前記内フラップは、ＵＳＢメモリあるいはカード型メモリからなる情報記録媒体を保持していることを特徴とする包装容器。
【請求項２】
前記少なくとも１つの前記内フラップは、
フラップ先端を曲げ部分とするカートン紙の折り返しを有しており、前記折り返しによって前記情報記録媒体を挟むように保持していることを特徴とする請求項１に記載の包装容器。
【請求項３】
前記少なくとも１つの前記内フラップは、
前記情報記録媒体を、情報再生機器に接続するためのコネクタの先端側が前記フラップ先端側となるように挟んでいるとともに、
前記コネクタが外部に露出するように、前記曲げ部分上からフラップ始端側へ切り込まれて形成された切欠きを有していることを特徴とする請求項２に記載の包装容器。
【請求項４】
前記切欠きは、両側に前記折り返しの部分が残るような前記曲げ部分上の位置から切り込まれて形成されており、
前記折り返しの部分のそれぞれにおいて、前記フラップ先端に沿った方向に延伸する折罫が、前記折り返しにより互いに対向するカートン紙部分の両方に形成されており、
一方の前記カートン紙部分に形成された前記折罫と、他方の前記カートン紙部分に形成された前記折罫とは、互いに対向する位置で形成されていることを特徴とする請求項３に記載の包装容器。
【請求項５】
前記少なくとも１つの前記内フラップは、前記カートンの本体から破断誘導線に沿って切り取り可能に設けられていることを特徴とする請求項１から４までのいずれか１項に記載の包装容器。
【発明の詳細な説明】
【技術分野】
【０００１】
本発明は、内容物が密封充填される包装容器に関し、より特定的には、内容物に加えて情報記録媒体が添付されたカートンを備える包装容器に関する。
【背景技術】
【０００２】
従来、食料品、飲料品、日用品、医薬品などを収容する包装容器に、これら内容物に加えて情報記録媒体を添付する技術が開示されている。当該情報記録媒体には、商品情報、キャンペーン情報、映像、音楽、ゲームといった商品の購入者に対して提供する情報が格納されている。購入者は、購入商品の開梱とともに情報記録媒体の取り出しが可能であり、情報記録媒体を再生機器で再生することにより、製造元あるいは販売元から提供された情報を取得することができる。
【０００３】
特許文献１には、図８に示すように、カップ本体１０１の中に商品１０２と個包装された情報記録媒体１０３とが収容されるとともに蓋体１０４によりカップ本体１０１の開口部が密封された構成の包装容器Ｐ１が記載されている。ここでは、情報記録媒体１０３としてＣＤやＤＶＤなどのディスク状の記録媒体が挙げられている。また、情報記録媒体１０３の個包装として、情報記録媒体１０３をプラスチックフィルム等で作製された袋体Ｐ２の中に収納することが行われている。
【０００４】
また、上記特許文献１の技術とは別に、商品や製品に関する情報が記録された媒体が商品あるいは製品に付加される例として、包装容器にＩＣチップや無線ＩＣタグを取り付ける技術が一般的に実施されている。
【０００５】
また、情報記録媒体を添付する代わりに、包装容器に二次元バーコード等の読取りマークを印刷することも行われている。この場合には、商品の購入者に携帯端末のカメラ等を用いて当該読み取りマークを読み取らせる。そして、購入者にこれにより得たインターネットアドレスにアクセスさせることで、製造元あるいは販売元から購入者に商品情報やキャンペーン情報を提供することができる。
【先行技術文献】
【特許文献】
【０００６】
【特許文献１】特開２００６−２７７１０号公報
【発明の概要】
【発明が解決しようとする課題】
【０００７】
しかしながら、前記特許文献１の技術のように、内容物が密封される容器と同じ容器内に情報記録媒体が収容される構成では、商品の購入者は内容物を開封状態としなければ情報記録媒体から情報を取得することができない。従って、商品購入後にまず提供された情報だけを閲覧あるいは視聴して、内容物は後で開封したいという購入者の要望に応えることができない。また上記の収容態様では、購入者は、情報記録媒体の情報を再生するまでに、包装容器全体の開封を行って情報記録媒体を商品とは選別して取り出し、さらに情報記録媒体を個別の包装体から取り出してから、再生機器に装填する動作を行うこととなる。従って、購入者は、情報記録媒体を商品自体から分離するための多くのアクションを強いられ、情報再生意欲を削がれやすい。
【０００８】
一方、包装容器にＩＣチップや無線ＩＣタグを取り付けることによる情報記録媒体の添付については、これら情報記録媒体は、内容物と分離された箇所に配置され得るものの、記憶容量が小さい上に、一般の購入者がこれらの情報記録媒体を読み取る装置を有していないことから、購入者向けの汎用の情報記録媒体としては採用しにくい。また、ＣＤやＤＶＤなどのディスク状の記録媒体は、大容量であって汎用の再生装置が普及しているが、包装容器に添付するには嵩張るほどの大きさであるので、単に貼り付けたり同梱したりする程度に留まり、購入者による取り扱いの利便性を配慮した添付レイアウトを提供するまでには至っていない。
【０００９】
さらに、包装容器に二次元バーコード等の読取りマークを印刷することによる情報提供方法には、購入者に読取りマークを読み取る手間をかけさせることになるとともに、インターネットへの接続環境が整備されていない場所ではサービスを利用することができないという不都合が発生する。従って、この方法を情報記録媒体の包装容器への添付に代えることは難しい。
【００１０】
以上のように、情報記憶媒体が添付された従来の包装容器には、十分な記憶容量を備えた小型の情報記録媒体を、内容物を開封状態にすることなく取り出すことができるとともに容易に再生可能なように添付する技術が提案されていなかった。
【００１１】
本発明は、上記課題を解決するものであり、十分な記憶容量を備えた小型の情報記録媒体が添付され、当該情報記録媒体を、内容物を開封状態にすることなく取り出すことができるとともに容易に再生することのできる包装容器を提供することを目的とする。
【課題を解決するための手段】
【００１２】
本発明は、１つ以上の外フラップによって開封面壁が形成されているとともに前記開封面壁の内側に１つ以上の内フラップを備えたカートンを備えており、少なくとも１つの前記内フラップは、ＵＳＢメモリあるいはカード型メモリからなる情報記録媒体を保持している包装容器である。
【発明の効果】
【００１３】
本発明の構成によれば、ＵＳＢメモリあるいはカード型メモリという小型大容量の情報記録媒体が、カートンの内フラップに保持されることで包装容器に一体化された状態に添付されている。内容物は開封面を開いて取り出せる袋体等に別途収容可能であるので、当該情報記録媒体は、内容物を開封状態にすることなく取り出すことが可能である。また、情報記録媒体がＵＳＢメモリまたはカード型メモリであるので、包装容器から情報記録媒体を取り出した開封者は、身近な情報再生機器によって即座に情報を再生することができる。
【図面の簡単な説明】
【００１４】
【図１】本発明の実施形態に係る包装容器の開封面を開けた状態の外観構成を示す斜視図である。
【図２】図１の包装容器の内フラップを外側へ倒した状態の外観構成を示す斜視図である。
【図３】図１の包装容器の開封面を開ける前の構成を示す透視斜視図である。
【図４】図１の包装容器の内フラップに保持されている情報記録媒体を情報再生機器に接続するときの第１の状態を説明する図である。
【図５】図１の包装容器の内フラップに保持されている情報記録媒体を情報再生機器に接続するときの第２の状態を説明する図である。
【図６】図１の包装容器から内容物を取り出すときの状態を説明する図である。
【図７】本発明の実施形態の変形例に係る包装容器の開封面を開けた状態における外観構成を示す斜視図である。
【図８】従来技術を示すものであり、包装容器の構成を示す図である。
【発明を実施するための形態】
【００１５】
本発明の実施形態について図１ないし図７を用いて説明すれば以下の通りである。
【００１６】
〔包装容器の構成〕
図３に、本実施形態に係る包装容器１の透視斜視図を示す。
包装容器１は、カートン２および情報記録媒体３を備えている。
【００１７】
カートン２は、カートン紙が折り込まれて組み立てられることにより、上面壁２ａ、底面壁２ｂ、および、側面壁２ｃ・２ｄ・２ｅ・２ｆに囲まれた形状をなす。側面壁２ｃと側面壁２ｄとは互いに対向しており、側面壁２ｅと側面壁２ｆとは互いに対向している。側面壁２ｃと側面壁２ｄとが対向する方向と、側面壁２ｅと側面壁２ｆとが対向する方向とは、互いに直交している。上記各面壁は、直角四辺形状の拡がりとカートン紙の厚みに応じた厚みとを有する。
【００１８】
上面壁２ａはカートン２の開封面壁であり、側面壁２ｃの上端から延設された外フラップ２１と、側壁面２ｄの上端から延設された外フラップ２２とが、外フラップ２１を上側として互いに折り重なるように貼り合わされた構成である。外フラップ２１の先端部には、Ｖ字状切欠き２１ｂ・２１ｃが形成されることによって３つの開け口２１ａが分割形成されている。開封者は開け口２１ａを摘まんで起こすことによって外フラップ２１を容易に開けることができる。
【００１９】
上面壁２ａの内側には、側面壁２ｅの上端から延設された内フラップ２３と、側壁面２ｆの上端から延設された内フラップ２４とが設けられている。内フラップ２３には情報記録媒体３が保持されている。
【００２０】
底面壁２ｂおよび側面壁２ｃ〜２ｆは、それぞれ、１つの面板で構成されていてもよいし、複数のフラップが重ねて貼り合されるように構成されていてもよいし、複数のフラップが噛み合うように構成されていてもよい。これらの面壁の構成は一般に知られているカートンの構成形態で実現可能であるため、ここでは詳述しない。
【００２１】
図１に、図３の状態から外フラップ２１および外フラップ２２を順次開けることにより上面壁２ａを開けた状態の包装容器１の外観構成を示す。また、図２に、図１の状態から、内フラップ２３をフラップ始端を軸にして矢印Ａの向きに回転させることで外側に倒した状態の包装容器１の外観構成を示す。
【００２２】
図２から分かるように、内フラップ２３は、フラップ先端を曲げ部分Ｆとするカートン紙の折り返しを有している。折り返しによって、カートン紙部分２３Ｘとカートン紙部分２３Ｙとが対向した状態となる。内フラップ２３は、カートン紙部分２３Ｘとカートン紙部分２３Ｙとによって情報記録媒体３を挟むように保持している。挟持箇所において情報記録媒体３の筐体がカートン紙に溶着されるなどして、情報記録媒体３が内フラップ２３に固定されていてもよい。また、図２では内フラップ２３の全体が上記折り返しによって形成されているが、カートン紙部分２３Ｘとカートン紙部分２３Ｙとをフラップ先端側の一定範囲のみにおいて対向させて、内フラップ２３が部分的に折り返しを有するような構成としてもよい。
【００２３】
また、内フラップ２３は、情報記録媒体３を、情報再生機器に接続するためのコネクタ３ａの先端側がフラップ先端側となるように挟んでいる。さらに、内フラップ２３は、コネクタ３ａが外部に露出するように、曲げ部分Ｆ上からフラップ始端側へ切り込まれて形成された切欠きＲを有している。特に、切欠きＲは、両側に折り返し部分２３ａ・２３ｂが残るような曲げ部分Ｆ上の位置から切り込まれて形成されている。
【００２４】
また、図４に示すように、折り返し部分２３ａ・２３ｂのそれぞれにおいて、フラップ先端に沿った方向に延伸する折罫ｊ・ｋが、カートン紙部分２３Ｘとカートン紙部分２３Ｙとの両方に形成されている。折り返し部分２３ａに形成された折罫ｊ・ｋと、他方の折り返し部分２３ｂに形成された折罫ｊ・ｋとは、互いに対向する位置で形成されている。折罫ｊは、フラップ先端ラインと切欠きＲの終端ラインとの中間の位置に形成されており、折罫ｋは、切欠きＲの終端ラインの位置に形成されている。
【００２５】
情報記録媒体３は、ＵＳＢメモリあるいはカード型メモリからなる。すなわち、情報記録媒体３は、パーソナルコンピュータ、携帯端末などのコンピュータ構成を有する機器に備えられたインタフェース・コネクタへの接続によって情報再生機器に接続可能な小型大容量のメモリである。図１および図２には情報記録媒体３としてＵＳＢメモリを備える例が示されている。これらＵＳＢメモリおよびカード型メモリとしてフラッシュメモリを内蔵したものが一般的に使用可能である。カード型メモリの形態としては、一般にメモリカードと呼ばれるフラッシュメモリを内蔵したものの他に、磁気抵抗メモリ、強誘電体メモリ、相変化メモリなど、考えられる任意の種類のメモリデバイスが使用可能である。また、カード型メモリにＵＳＢコネクタが付属していてもよい。
【００２６】
図４に示すように、包装容器１の開封者は、内フラップ２３から露出したコネクタ３ａをそのまま、ノート型、携帯型、デスクトップ型、タブレット型などのパーソナルコンピュータ、携帯電話、スマートフォン、ＰＨＳ、電子手帳などの携帯端末、あるいは、パーソナルコンピュータや携帯端末に接続された周辺機器、といった情報再生機器１０のインタフェース・コネクタ１０ａに接続することができる。例えば、情報記録媒体３がＵＳＢメモリであれば、コネクタ３ａはインタフェース・コネクタ１０ａとしてのＵＳＢ接続端子に挿入される。また、情報記録媒体３がカード型メモリであれば、情報記録媒体３をカートン紙に軽度に溶着するなどして内フラップ２３から取り外せるようにしておくことで、情報記録媒体３をインタフェース・コネクタ１０ａとしてのカードスロットあるいはカードアダプタに装着することができる。情報記録媒体３がＵＳＢメモリである場合に、情報記録媒体３を内フラップ２３から取り外せるようにしておいてもよい。また、情報記録媒体３がＵＳＢコネクタの付属したカード型メモリであれば、情報記録媒体３を内フラップ２３に対して固着してあるいは取り外し可能として、コネクタ３ａはインタフェース・コネクタ１０ａとしてのＵＳＢ接続端子に挿入される。
【００２７】
図５に示すように、コネクタ３ａがインタフェース・コネクタ１０ａに挿入されていくに従い、折り返し部分２３ａ・２３ｂがフラップ先端側から情報再生機器１０の筐体に当接するため、当該筐体から力を受けて形状が歪む。このとき、折り返し部分２３Ｘと折り返し部分２３Ｙとは、折罫ｋにおいて互いに離れる方向に折れ曲がるとともに、折罫ｊにおいて山型に折れ曲がり、曲げ部分Ｆが平坦に潰れていく。これにより、折り返し部分２３ａ・２３ｂは、開封者が報記録媒体３のコネクタ３ａを取り扱うまではコネクタ３ａを保護しているのに対して、開封者がコネクタ３ａを情報再生機器１０に接続するときには接続操作に連動してコネクタ３ａの保護を解除するという便宜を提供する。
【００２８】
小型大容量の情報記録媒体３には予め、商品自体の情報、販売メーカーの広告、キャンペーン情報などが格納されている。また、商品に関連した映像、ゲーム等も格納対象となる。情報記録媒体３は、内フラップ２３に保持されているので、内容物を開封することなく取り出すことが可能である。また、情報記録媒体３がＵＳＢメモリまたはカード型メモリであるので、包装容器１から情報記録媒体３を取り出した開封者は、対応するインタフェース・コネクタ１０ａを標準装備していることが多い身近な情報再生機器１０によって即座に情報を再生して、メッセージや映像を閲覧したりゲームを楽しんだりすることができる。情報記録媒体３は、ＣＤやＤＶＤなどのディスク状の記録媒体のように包装容器に添付するのに嵩張ることはない。また、包装容器に取り付けられたＩＣチップや無線ＩＣタグよりも十分に大きな記憶容量を有している。また、情報記録媒体３が包装容器１に添付されることにより、２次元バーコードなどの読取りマークの読み取りのような面倒な作業やインターネット接続環境も不要である。
【００２９】
開封者は、内容物を取り出すときには、図６に示すように、外フラップ２１・２２および内フラップ２３・２４を開けてカートン２を開封し、開封口から内容物を収容した袋体５０を取り出す。
〔包装容器の変形例〕
【００３０】
図７に、本実施形態の変形例に係る包装容器１１の構成を示す。包装容器１１は、カートン１２と情報記録媒体３とを備えている。カートン１２は、カートン２において内フラップ２３を内フラップ２５としたものである。情報記録媒体３は内フラップ２５に保持されている。内フラップ２５は、フラップ先端を曲げ部分とする折り返しを有しており、折り返しによって対向するカートン紙部分２５ａとカートン紙部分２５ｂとで情報記録媒体３を挟んでいる。情報記録媒体３の筐体は、外側に倒れたときの内フラップ２５の下部側に位置するカートン紙部分２５ａに軽度に溶着されるなどして、取り外し可能に固定されている。開封者は、フラップ始端においてカートン紙部分２５ａに溶着などで軽度に係止されていたカートン紙部分２５ｂを、カートン紙部分２５ａから引き離して開き、情報記録媒体３をカートン紙部分２５ａから剥がして使用する。これにより、情報記録媒体３は開封されるまで内フラップ２５から露出する部分を有していないため、開封されるまでの情報記録媒体３の保護性が高まる。
【００３１】
また、以上に説明した内フラップ２３・２５は、カートン２の本体からミシン目などの破断誘導線に沿って切り取り可能に設けられていてもよい。これにより、情報記録媒体３を保持する物全体を、カートン２よりもかなり小さな内フラップ２３・２５のみとすることができるので、情報記録媒体３がカートン２に繋がっていなくてもよいという開封者に、取り扱いの便宜を提供することができる。
また、情報記録媒体３を保持している内フラップを、外フラップを開けることなく側面壁側にスライド回転させて引き出して情報記録媒体３を外部に取り出すことができるように構成することも可能である。
【００３２】
なお、以上の例では、情報記録媒体３が１つだけ設けられているが、複数の情報記録媒体３が同じ内フラップに保持されていてもよい。
また、以上の例では、情報記録媒体３を保持している内フラップが１つだけであったが、複数の内フラップが情報記録媒体３を保持していてもよい。
さらに、以上の例では、外フラップが２つであったが、一般に１つ以上の外フラップで開封面壁を構成することができる。外フラップには、前記例に代えてジッパーなどの他の開封機構が設けられていてもよい。
【産業上の利用可能性】
【００３３】
本発明の包装容器は、カートンに詰めた食品、医薬品などの物品に、販売促進効果や消費者とのコミュニケーション性を付加することに特に利用効果がある。
【符号の説明】
【００３４】
１、１１    包装容器
２、１２    カートン
２ａ        上面壁（開封面壁）
３          情報記録媒体
３ａ        コネクタ
１０        情報再生機器
２１、２２  外フラップ
２３、２４、２５    内フラップ
２３ａ、２３ｂ      折り返し部分
２３Ｘ、２３Ｙ      カートン紙部分
Ｆ          曲げ部分
Ｒ          切欠き
ｊ、ｋ      折罫
【図１】
2013056683.tif 000003
【図２】
2013056683.tif 000004
【図３】
2013056683.tif 000005
【図４】
2013056683.tif 000006
【図５】
2013056683.tif 000007
【図６】
2013056683.tif 000008
【図７】
2013056683.tif 000009
【図８】
2013056683.tif 000010